(57)【要約】【課題】  １つの部材で簡単に所望の吊棒の長さを調整することができ、洗濯槽のアンバランスを解消できる脱水洗濯機を提供する。【解決手段】  吊棒受け８の吊棒９を固定する部分６ａ、６ｂを異なる高さに形成し、この例では、引っ掛けて固定する部分の高さは、吊棒９の挿入穴に対して対向した位置で異なる高さに形成されており、部分６ａを部分６ｂより高く形成する。防振支持装置を洗濯機に取付ける時は、洗濯機のフレーム１に吊棒受け８を係合させ、吊棒受け８の中心の穴に吊棒９を挿入して先端を折り曲げて、吊棒受け８の吊棒９を受ける部分６ａ又は６ｂに引っ掛けて固定して、吊棒９の長さを調整し、フレームに対する外槽の傾きを調整する。【選択図】      図４
2005253626.tif 000002
【特許請求の範囲】
【請求項１】
フレーム、外槽、脱水槽からなる洗濯機の外槽内に脱水槽を同心的に配置し、外槽をフレームにそれぞれ防振ばね座、圧縮ばね、吊棒、上部の吊棒受けからなる４組の防振支持装置で、外槽の四方を弾性的に吊るす構造において、上部の吊棒受けの吊棒を受ける部分を異なる高さで複数箇所設け、所望の高さの受け部分を選択することにより吊棒の長さを調整し、フレームに対する外槽の傾きを調整するようにしたことを特徴とする脱水洗濯機。
【請求項２】
吊棒の先端を折り曲げて吊棒受けに引っ掛けて固定するタイプのものであって、吊棒受けの吊棒を固定する部分を異なる高さで複数箇所設け、所望の高さの固定する部分を選択することにより吊棒の吊り高さを調整し、フレームに対する外槽の傾きを調整するようにしたことを特徴とする請求項１記載の脱水洗濯機。
【請求項３】
吊棒の先端部に抜け止めピン用の孔を設け、抜け止めピンを吊捧受けに引っ掛けて吊棒を固定するタイプのものであって、吊捧受けの抜け止めピンを受ける部分を異なる高さで複数箇所設け、所望の高さの抜け止めピンを受ける部分を選択することにより吊棒の吊り高さを調整し、フレームに対する外槽の傾きを調整するようにしたことを特徴とする請求項１記載の脱水洗濯機。
【請求項４】
前記吊棒受けにおける、抜け止めピンを受ける部分は、吊棒挿入穴に対して十文字に形成され、その十文字を形成する縦横の部分は異なる高さに形成されていることを特徴とする請求項４記載の脱水洗濯機。
【発明の詳細な説明】
【技術分野】
【０００１】
本発明は防振支持装置を調整可能にした脱水洗濯機に関する。
【背景技術】
【０００２】
脱水洗濯機の防振支持装置に着目した構成は、図１の４組の防振支持装置で外槽を吊った状態の上面図と、図２の４組の防振支持装置で外槽を吊った状態の側面断面図に示すように、フレーム１、外槽２、脱水槽３からなり、外槽２の内に脱水槽３を同心的に配置している。外槽２をフレーム１にそれぞれ防振ばね座、圧縮ばね、吊棒、上部の吊棒受けからなる４組の防振支持装置で外槽２の四方を弾性的に吊るす構造であり、外槽２の底面には脱水槽３を駆動するモーター４とプーリーにより連結されたクラッチ装置５が配置されている。
【０００３】
図３に防振支持装置の詳細図を示す。防振支持装置は、吊棒の下端に圧縮ばねが内蔵された防振ばね座が配置されており、吊棒の下端は外槽に結合され、吊棒の上端はフレーム１に係合される吊棒受けに引っ掛けられる構造である。この４つの防振支持装置により、外槽２の四方をフレーム１に弾性的に吊している。
【０００４】
通常、脱水洗濯機では、外槽２の底面には脱水槽３を駆動するモータ４とプーリーにより連結されたクラッチ装置５が配置されているので、バランスの片寄りが生じるため、４つの防振支持装置の内、３つの防振支持装置の圧縮ばねを少し強めにし、他の１つの防振支持装置の圧縮ばねは弱めにして調整しているが、どうしても微妙なアンバランスが生じ、脱水時の高速回転ではこのアンバランスが運転上大きな影響を与える。
【０００５】
このアンバランスを解消するために、個々の圧縮ばね自体を調整することも一方法であるが、圧縮ばねに作用するパラメータは多岐に亘り、その調整は容易でなく、手間が掛かった。そのため、通常は上部の吊棒の長さを調整してアンバランスに対応している。
【０００６】
吊棒の長さを調整する従来例を図６、図７に示す。図６は吊棒の先端を折り曲げて吊棒受けに引っ掛けて固定するタイプのものである。洗濯機のフレーム１に吊棒受けを係合させ、吊棒受けの中心の穴に吊棒を挿入して先端を折り曲げて、吊棒受けの吊棒を受ける部分６に引っ掛けて固定している。この状態で吊棒の長さを調整するには、フレーム１と吊棒受けの間にスペーサーを挟んでスペーサーの厚みで吊棒の長さを調整していた。これではスペーサーを別部品として用意する必要があると共に、作業手間が掛かり非能率的であった。
【０００７】
図７の従来例は、吊棒の先端部に抜け止めピン用の孔を設け、該抜け止めピンを吊捧受けに引っ掛けて吊棒を固定するタイプのものである。洗濯機のフレーム１に吊棒受けを係合させ、吊棒受けの中心の穴に吊棒を挿入して、吊棒の先端部に設けられた抜け止めピン用の孔に抜け止めピンを差し込み、吊棒受けの抜け止めピンを受け部分７に固定するものである。このタイプのものでも、吊棒の長さを調整するには、フレーム１と吊棒受けの間にスペーサーを挟んでスペーサーの厚みで吊棒の長さを調整していた。これではスペーサーを別部品として用意する必要があると共に、作業手間が掛かり非能率的であった。
【０００８】
また、吊棒の先端部に抜け止めピン用の孔を複数設け、この孔を選択することにより、吊棒の長さを調整してアンバランスを解消しようとするものも公知である（例えば、特許文献１を参照）。
【特許文献１】実開昭５１−１７３７３号公報
【発明の開示】
【発明が解決しようとする課題】
【０００９】
従来の吊棒の長さを調整してアンバランスを解消するものでは、フレームと吊棒受けの間にスペーサーを挟んでスペーサーの厚みで吊棒の長さを調整するため、これではスペーサーを別部品として用意する必要があると共に、作業手間が掛かり非能率的であった。また、吊棒の先端部に抜け止めピン用の孔を複数設け、この孔を選択することにより、吊棒の長さを調整するものでは、吊棒の先端部に抜け止めピン用の孔を複数穿孔する必要があり、その作業が面倒であると同時にコストの面でも問題があった。そこで本発明は、１つの部材で簡単に所望の吊棒の長さを調整することができ、洗濯槽のアンバランスを解消できる脱水洗濯機を提供することを目的とする。
【課題を解決するための手段】
【００１０】
上記課題を解決するために、本発明の請求項１に係る脱水洗濯機は、フレーム、外槽、脱水槽からなる洗濯機の外槽内に脱水槽を同心的に配置し、外槽をフレームにそれぞれ防振ばね座、圧縮ばね、吊棒、上部の吊棒受けからなる４組の防振支持装置で、外槽の四方を弾性的に吊るす構造において、上部の吊棒受けの吊棒を受ける部分を異なる高さで複数箇所設け、所望の高さの受け部分を選択することにより吊棒の長さを調整し、フレームに対する外槽の傾きを調整するように構成した。
【００１１】
こうして、上部の吊棒受けの吊棒を受ける部分を異なる高さのうち、所望の高さの受け部分を選択することにより、所望の吊棒の長さを選定できるので、取付け作業が簡単であり、また、１つの部材である吊棒受けのみで済むので、樹脂成型などにより吊棒受けを簡単に製作できるので製品の低コスト化に寄与できる。
【００１２】
本発明の請求項２に係る脱水洗濯機は、フレーム、外槽、脱水槽からなる洗濯機の外槽内に脱水槽を同心的に配置し、外槽をフレームにそれぞれ防振ばね座、圧縮ばね、吊棒、上部の吊棒受けからなる４組の防振支持装置で、外槽の四方を弾性的に吊るす構造において、吊棒の先端を折り曲げて吊棒受けに引っ掛けて固定するタイプのものであって、吊棒受けの吊棒を固定する部分を異なる高さで複数箇所設け、所望の高さの固定する部分を選択することにより吊棒の吊り高さを調整し、フレームに対する外槽の傾きを調整するように構成した。
【００１３】
こうして、吊棒の先端の折り曲げ部を引っ掛ける方向を選択するのみで、所望の吊棒の長さを選定できるので、取付け作業が簡単であり、また、１つの部材である吊棒受けのみで済むので、樹脂成型などにより吊棒受けを簡単に製作できるので製品の低コスト化に寄与できる。
【００１４】
本発明の請求項４に係る脱水洗濯機は、フレーム、外槽、脱水槽からなる洗濯機の外槽内に脱水槽を同心的に配置し、外槽をフレームにそれぞれ防振ばね座、圧縮ばね、吊棒、上部の吊棒受けからなる４組の防振支持装置で、外槽の四方を弾性的に吊るす構造において、吊棒の先端部に抜け止めピン用の孔を設け、抜け止めピンを吊捧受けに引っ掛けて吊棒を固定するタイプのものであって、吊捧受けの抜け止めピンを受ける部分を異なる高さで複数箇所設け、所望の高さの抜け止めピンを受ける部分を選択することにより吊棒の吊り高さを調整し、フレームに対する外槽の傾きを調整するように構成した。
【００１５】
本発明の請求項５に係る脱水洗濯機は、フレーム、外槽、脱水槽からなる洗濯機の外槽内に脱水槽を同心的に配置し、外槽をフレームにそれぞれ防振ばね座、圧縮ばね、吊棒、上部の吊棒受けからなる４組の防振支持装置で、外槽の四方を弾性的に吊るす構造において、吊棒の先端部に抜け止めピン用の孔を設け、抜け止めピンを吊捧受けに引っ掛けて吊棒を固定するタイプのものであって、吊捧受けの抜け止めピンを受ける部分を異なる高さで複数箇所設け、前記吊棒受けにおける、抜け止めピンを受ける部分は、吊棒挿入穴に対して十文字に形成され、その十文字を形成する縦横の部分は異なる高さに形成されていて、所望の高さの抜け止めピンを受ける部分を選択することにより吊棒の吊り高さを調整し、フレームに対する外槽の傾きを調整するように構成した。
【００１６】
こうして、吊棒の先端部に設けられた抜け止めピン用の孔に、抜け止めピンを差し込み、抜け止めピンを受ける部分を選択するのみで、所望の吊棒の長さを選定できるので、取付け作業が簡単であり、また、１つの部材である吊棒受けのみで済むので、樹脂成型などにより吊棒受けを簡単に製作できるので製品の低コスト化に寄与できる。
【発明の効果】
【００１７】
以上のように本発明の脱水洗濯機は、吊り棒の先端を支える吊棒受けの吊棒を固定する部分に高さの異なる複数の箇所を設け、吊棒受けの吊棒を受ける部分を異なる高さのうち、所望の高さの受け部分を選択することにより、所望の吊棒の長さを選定できるので、取付け作業が簡単であり、また、１つの部材である吊棒受けのみで済むので、樹脂成型などにより吊棒受けを簡単に製作できるので製品の低コスト化に寄与できると共に、洗濯槽のアンバランスを解消できる脱水洗濯機を提供できる。
【発明を実施するための最良の形態】
【００１８】
本発明の脱水洗濯機に用いるの防振支持装置の実施形態について図４、図５を参照して説明する。図４は吊棒の先端を折り曲げて吊棒受けに引っ掛けて固定するタイプのものを示す。図５は吊棒の先端部に抜け止めピン用の孔を設け、該抜け止めピンを吊捧受けに引っ掛けて吊棒を固定するタイプのものを示す。
【００１９】
図４において、樹脂製の吊棒受け８の吊棒９を固定する部分６ａ、６ｂを異なる高さに形成する。この例では、引っ掛けて固定する部分は、吊棒受け８の上面において、吊棒の挿入穴８ａから互いに反対方向に外周に向かって延びる２本の溝部６ａ，６ｂで構成しており、これら溝部６ａ，６ｂの深さを異ならせることにより、固定する部分６ａ，６ｂの高さを異ならせている。ここでは、部分６ａを部分６ｂより高く形成する。
【００２０】
防振支持装置を洗濯機に取付ける時は、洗濯機のフレーム１に吊棒受け８を係合させ、吊棒受け８の中心の穴に吊棒９を挿入して先端を折り曲げて、吊棒受け８の吊棒９を受ける部分６ａ又は６ｂに引っ掛けて固定して、吊棒９の長さを調整し、フレームに対する外槽の傾きを調整する。
【００２１】
図４には、吊棒９の先端が折り曲げられた部分が、固定する部分６ａに引っ掛けられて吊棒９を持ち上げて短くした状態（上図）と、固定する部分６ｂに引っ掛けられて吊棒９を長くした状態（下図）とを比較して示している。
【００２２】
これにより、吊棒９の先端の折り曲げ部を引っ掛ける方向を選択するのみで、所望の吊棒９の長さを選定できるので、取付け作業が簡単であり、また、１つの部材である吊棒受け８のみで済むので、樹脂成型などにより吊棒受け８を簡単に製作できるので製品の低コスト化に寄与できる。
【００２３】
図５は本発明の他の実施形態である。吊棒９の先端部に抜け止めピン用の孔１０を設ける。一方、吊捧受け８の抜け止めピンを受ける部分７ａ、７ｂを異なる高さで複数箇所を設ける。この例では、吊棒受け８における、抜け止めピンを受ける部分７ａ、７ｂは、吊棒９の挿入穴に対して十文字に形成され、その十文字部分７ａ、７ｂを異なる高さに形成している。この例では、部分７ａが部分７ｂより高く形成されている。
【００２４】
防振支持装置を洗濯機に取付ける時は、洗濯機のフレーム１に吊棒受け８を係合させ、吊棒受け８の中心の穴に吊棒９を挿入して、吊棒９の先端部に設けられた抜け止めピン用の孔１０に抜け止めピンを差し込み、吊棒受け８の抜け止めピンを受け部分７ａ、７ｂの何れかの所望する高さを選択して固定することにより吊り高さを調整し、フレームに対する外槽の傾きを調整することができる。
【００２５】
図５には、吊棒９の先端部に設けられた抜け止めピン用の孔１０に、抜け止めピンを差し込み、抜け止めピンを受ける部分７ａを選択して吊棒９を持ち上げて短くした状態（下図）と、抜け止めピンを受ける部分７ｂを選択して吊棒９を長くした状態（右図）とを比較して示している。
【００２６】
これにより、吊棒９の先端部に設けられた抜け止めピン用の孔１０に、抜け止めピンを差し込み、抜け止めピンを受ける部分７ａ、７ｂを選択するのみで、所望の吊棒９の長さを選定できるので、取付け作業が簡単であり、また、１つの部材である吊棒受け８のみで済むので、樹脂成型などにより吊棒受け８を簡単に製作できるので製品の低コスト化に寄与できる。
【図面の簡単な説明】
【００２７】
【図１】４組の防振支持装置で外槽を吊った状態の上面図。
【図２】４組の防振支持装置で外槽を吊った状態の側面断面図。
【図３】防振支持装置の詳細図。
【図４】本発明の吊棒の先端を折り曲げて吊棒受けに引っ掛けて固定する図。
【図５】本発明の抜け止めピンを吊捧受けに引っ掛けて吊棒を固定する図。
【図６】従来の吊棒の先端を折り曲げて吊棒受けに引っ掛けて固定する図。
【図７】従来の抜け止めピンを吊捧受けに引っ掛けて吊棒を固定する図。
【符号の説明】
【００２８】
１                フレーム
２                外槽
３                脱水槽
４                モータ
５                クラッチ装置
６                吊棒受けの吊棒を受ける部分
７                抜け止めピンを受ける部分
８                吊棒受け
９                吊棒
１０              抜け止めピン用の孔
【図１】
2005253626.tif 000003
【図２】
2005253626.tif 000004
【図３】
2005253626.tif 000005
【図４】
2005253626.tif 000006
【図５】
2005253626.tif 000007
【図６】
2005253626.tif 000008
【図７】
2005253626.tif 000009